(57)【要約】【課題】被接続部材のハウジングへの連結自由度をより高めることが可能なコネクタを得る。【解決手段】コネクタ１は、ハウジング１０と、被接続部材１Ａに実装される実装部１３２，１４２を有し、ハウジング１０に保持される端子１３，１４と、を備えている。また、ハウジング１０には、被接続部材１Ａの被連結部１０Ａが収容保持される凹部１１２ｅと、被連結部１０Ａの厚さよりも突出して凹部１１２ｅを画成する突部１１２ｄと、が形成されている。そして、突部１１２ｄがハウジング１０の周縁部のみに形成されている。【選択図】図９
2020087709.tif 000002
【特許請求の範囲】
【請求項１】
ハウジングと、
被接続部材に実装される実装部を有し、前記ハウジングに保持される端子と、
を備え、
前記ハウジングには、前記被接続部材の被連結部が収容保持される凹部と、前記被連結部の厚さよりも突出して前記凹部を画成する突部と、が形成されており、
前記突部が前記ハウジングの周縁部のみに形成されていることを特徴とするコネクタ。
【請求項２】
複数の前記端子が前記ハウジングに一方向に並設するように保持されており、
前記複数の端子を前記ハウジングに保持した状態で、前記複数の端子は、それぞれの実装部の先端が前記ハウジングよりも前記凹部側に突出しており、
前記突部は、前記複数の端子を保持した前記ハウジングを前記一方向と交差する交差方向に沿って視た状態で、前記複数の実装部と重なり合わないように形成されていることを特徴とする請求項１に記載のコネクタ。
【請求項３】
前記実装部が薄板状に形成されており、
前記複数の端子は、前記実装部の板厚方向に沿って並設されていることを特徴とする請求項２に記載のコネクタ。
【請求項４】
前記端子は、前記ハウジングに挿入保持される本体部を備えており、
前記交差方向が前記本体部の前記ハウジングへの挿入方向と一致することを特徴とする請求項２または請求項３に記載のコネクタ。
【請求項５】
前記被接続部材がシート状のケーブルであることを特徴とする請求項１〜４のうちいずれか１項に記載のコネクタ。
【請求項６】
前記ケーブルは、連結領域と、前記連結領域から延伸する延伸領域とを備え、
前記被連結部は、前記連結領域と、前記連結領域に取り付けられて当該連結領域を補強する補強板と、を備えることを特徴とする請求項５に記載のコネクタ。
【請求項７】
前記端子を前記ハウジングに保持するとともに、前記実装部を前記被接続部材に実装した状態で相手側のコネクタに嵌合することで、前記端子が前記相手側のコネクタが備える相手側の端子と電気的に接続されることを特徴とする請求項１〜６のうちいずれか１項に記載のコネクタ。
【発明の詳細な説明】
【技術分野】
【０００１】
本開示は、コネクタに関する。
【背景技術】
【０００２】
従来、コネクタとして、ハウジングと、ハウジングに保持されて、ケーブルなどの被接続部材に実装される端子と、を備えるものが知られている（例えば、特許文献１参照）。
【０００３】
この特許文献１では、ハウジングの一側に、被接続部材の連結領域（被連結部）が収容される凹部が形成されており、この凹部が、ハウジングの一側を下方に向けて突出させた突部によって画成されている。さらに、特許文献１では、突部は、平面視で略Ｔ字状となるように形成されており、被接続部材の被連結部の厚さよりも厚くなるように突設されている。
【先行技術文献】
【特許文献】
【０００４】
【特許文献１】特開２０１６−１５２２７３号公報
【発明の概要】
【発明が解決しようとする課題】
【０００５】
このようなコネクタでも、被連結部の形状の自由度や被連結部のハウジングへの連結位置の自由度等、被接続部材のハウジングへの連結自由度を高めることは可能であるが、被接続部材のハウジングへの連結自由度をより高められるようにするのが好ましい。
【０００６】
そこで、本開示は、被接続部材のハウジングへの連結自由度をより高めることが可能なコネクタを得ることを目的とする。
【課題を解決するための手段】
【０００７】
本開示にかかるコネクタは、ハウジングと、被接続部材に実装される実装部を有し、前記ハウジングに保持される端子と、を備えている。また、前記ハウジングには、前記被接続部材の被連結部が収容保持される凹部と、前記被連結部の厚さよりも突出して前記凹部を画成する突部と、が形成されている。そして、前記突部が前記ハウジングの周縁部のみに形成されている。
【発明の効果】
【０００８】
本開示によれば、被接続部材のハウジングへの連結自由度をより高めることが可能なコネクタを得ることができる。
【図面の簡単な説明】
【０００９】
【図１】コネクタセットの一例を示す図であって、ケーブルに実装されるとともにスライド部材が仮保持されたプラグコネクタと、回路基板に実装されたレセプタクルコネクタと、に分解して示す斜視図である。
【図２】コネクタセットの一例を示す図であって、ケーブルに実装されたプラグコネクタと回路基板に実装されたレセプタクルコネクタとを嵌合させ、スライド部材でロックした状態を示す斜視図である。
【図３】一例として示したコネクタセットのプラグ端子とレセプタクル端子とを示す図であって、（ａ）は、下側プラグ端子と下側レセプタクル端子とが接触する前の状態を示す斜視図、（ｂ）は、下側プラグ端子と下側レセプタクル端子との接触状態を示す平面図である。
【図４】一例として示したコネクタセットのプラグ端子とレセプタクル端子とを示す図であって、（ａ）は、上側プラグ端子と上側レセプタクル端子とが接触する前の状態を示す斜視図、（ｂ）は、上側プラグ端子と上側レセプタクル端子との接触状態を示す平面図である。
【図５】一例として示したプラグコネクタとレセプタクルコネクタとをスライド部材でロックする様子を説明する図であって、スライド部材が仮保持されたプラグコネクタがレセプタクルコネクタに嵌合する前の状態を示す斜視図である。
【図６】一例として示したプラグコネクタとレセプタクルコネクタとをスライド部材でロックする様子を説明する図であって、スライド部材が仮保持されたプラグコネクタをレセプタクルコネクタに嵌合させた状態を示す斜視図である。
【図７】一例として示したプラグコネクタとレセプタクルコネクタとをスライド部材でロックする様子を説明する図であって、プラグコネクタをレセプタクルコネクタに嵌合させつつスライド部材でロックした状態を示す斜視図である。
【図８】一例として示したコネクタセットが備えるスライド部材が仮保持されたプラグコネクタをケーブルに実装する前の状態を示す斜視図である。
【図９】一例として示したコネクタセットが備えるプラグコネクタをケーブルに実装する様子を説明する図であって、（ａ）は、実装前の状態を裏側から視た斜視図、（ｂ）は、実装後の状態を裏側から視た斜視図である。
【図１０】一例として示したコネクタセットが備えるプラグコネクタをケーブルに実装させた状態を示す平面図である。
【図１１】一例として示したコネクタセットが備えるプラグコネクタをケーブルに実装させた状態を示す裏面図である。
【図１２】一例として示したコネクタセットが備えるプラグコネクタおよびスライド部材を分解して示す斜視図である。
【図１３】プラグコネクタが備えるプラグハウジングを示す図であって、（ａ）は、平面図、（ｂ）は、裏面図である。
【図１４】プラグコネクタが備えるプラグハウジングを示す図であって、（ａ）は、正面図、（ｂ）は、背面図、（ｃ）は、側面図、（ｄ）は、側断面図である。
【図１５】プラグコネクタが備える下側プラグ端子を示す図であって、（ａ）は、斜視図、（ｂ）は、平面図、（ｃ）は、側面図、（ｄ）は、裏面図、（ｅ）は、正面図、（ｆ）は、背面図である。
【図１６】プラグコネクタが備える上側プラグ端子を示す図であって、（ａ）は、斜視図、（ｂ）は、平面図、（ｃ）は、側面図、（ｄ）は、裏面図、（ｅ）は、正面図、（ｆ）は、背面図である。
【図１７】一例として示したコネクタセットが備えるレセプタクルコネクタが回路基板に実装される前の状態を示す斜視図である。
【図１８】一例として示したコネクタセットが備えるレセプタクルコネクタを分解して示す斜視図である。
【図１９】レセプタクルコネクタが備えるレセプタクルハウジングを示す図であって、（ａ）は、平面図、（ｂ）は、裏面図である。
【図２０】レセプタクルコネクタが備えるレセプタクルハウジングを示す図であって、（ａ）は、正面図、（ｂ）は、背面図、（ｃ）は、側面図、（ｄ）は、側断面図である。
【図２１】レセプタクルコネクタが備える下側レセプタクル端子を示す図であって、（ａ）は、斜視図、（ｂ）は、平面図、（ｃ）は、側面図、（ｄ）は、裏面図、（ｅ）は、正面図、（ｆ）は、背面図である。
【図２２】レセプタクルコネクタが備える上側レセプタクル端子を示す図であって、（ａ）は、斜視図、（ｂ）は、平面図、（ｃ）は、側面図、（ｄ）は、裏面図、（ｅ）は、正面図、（ｆ）は、背面図である。
【図２３】一例として示したコネクタセットが備えるスライド部材を示す図であって、（ａ）は、一方側から視た斜視図、（ｂ）は、他方側から視た斜視図である。
【図２４】一例として示したコネクタセットが備えるスライド部材を示す図であって、（ａ）は、側面図、（ｂ）は、平面図、（ｃ）は、裏面図、（ｄ）は、正面図、（ｅ）は、背面図である。
【図２５】一例として示したプラグコネクタにスライド部材が仮保持される状態を示す水平断面図である。
【図２６】一例として示したプラグコネクタとレセプタクルコネクタとをスライド部材でロックする様子を説明する図であって、スライド部材が仮保持されたプラグコネクタがレセプタクルコネクタに嵌合する前の状態を示す側断面図である。
【図２７】一例として示したプラグコネクタとレセプタクルコネクタとをスライド部材でロックする様子を説明する図であって、スライド部材が仮保持されたプラグコネクタをレセプタクルコネクタに嵌合させた状態を示す側断面図である。
【図２８】一例として示したプラグコネクタとレセプタクルコネクタとをスライド部材でロックする様子を説明する図であって、プラグコネクタをレセプタクルコネクタに嵌合させつつスライド部材でロックした状態を示す側断面図である。
【図２９】変形例として示すプラグコネクタを説明する図であって、（ａ）は、変形例として示すプラグコネクタの正面図、（ｂ）は、変形例として示すプラグコネクタの実装部の突出量を確認する方法を説明する図である。
【図３０】一例として示したプラグコネクタを説明する図であって、（ａ）は、一例として示したプラグコネクタの正面図、（ｂ）は、一例として示したプラグコネクタの実装部の突出量を確認する方法を説明する図である。
【発明を実施するための形態】
【００１０】
以下、本開示の実施形態について図面を参照しながら詳細に説明する。なお、以下では、コネクタとしてケーブル（被実装部材）１Ａに実装されるプラグコネクタ１を例示し、プラグコネクタ１が嵌合する相手側のコネクタとして回路基板（相手側の被実装部材）２Ａに実装されるレセプタクルコネクタ２を例示する。
【００１１】
また、以下では、被実装部材に実装した状態において被実装部材の実装面と直交する方向（実装面の法線方向）をコネクタの上下方向（Ｚ方向）として説明する。また、各コネクタのハウジングに収容された端子が並設される方向を幅方向（Ｙ方向）とし、各コネクタのハウジング内への端子の挿入方向を前後方向（Ｘ方向）として説明する。
【００１２】
さらに、被実装部材に実装されたコネクタを実装面の上側に位置させた状態における上方を、上下方向の上方と規定し、コネクタ同士を嵌合させる際に互いに相手側のコネクタと対向する側を前後方向の前方と規定する。
【００１３】
［コネクタセットの構成例］
本実施形態にかかるプラグコネクタ（コネクタ）１は、図１および図２に示すコネクタセットＣ１などで用いられるものである。
【００１４】
コネクタセットＣ１は、図１および図２に示すように、上述したプラグコネクタ１と、プラグコネクタ１が嵌合するレセプタクルコネクタ２と、を備えている。
【００１５】
本実施形態では、プラグコネクタ１は、ＦＰＣやＦＦＣ等のケーブル（被接続部材）１Ａに実装可能に形成されている。具体的には、プラグコネクタ１が備えるプラグ端子（端子）１３，１４の第１，第２実装片（実装部）１３２，１４２をケーブル１Ａの導体部１５１ｂＡに電気的に接続する（実装する）ことで、プラグコネクタ１がケーブル１Ａに実装されるようになっている。
【００１６】
一方、レセプタクルコネクタ２は、回路基板（相手側の被実装部材）２Ａに実装可能に形成されている。具体的には、レセプタクルコネクタ２が備えるレセプタクル端子（相手側の端子）２３，２４の第１，第２実装片（相手側の実装部）２３２，２４２を回路基板２Ａの導体部２ｂＡに電気的に接続する（実装する）ことで、レセプタクルコネクタ２が回路基板２Ａに実装されるようになっている。
【００１７】
そして、プラグ端子１３，１４をプラグハウジング１０に保持するとともに、第１，第２実装片１３２，１４２をケーブル１Ａに実装したプラグコネクタ１を、レセプタクルコネクタ（相手側のコネクタ）２に嵌合することで、プラグ端子１３，１４がレセプタクルコネクタ２が備えるレセプタクル端子（相手側の端子）２３，２４と電気的に接続されるようになっている。
【００１８】
このように、コネクタセットＣ１は、プラグコネクタ１をレセプタクルコネクタ２に嵌合させて、プラグ端子１３，１４とレセプタクル端子２３，２４とを導通接続させることで、ケーブル１Ａと回路基板２Ａとを電気的に接続させるものである（図２〜図４参照）。
【００１９】
さらに、本実施形態では、プラグコネクタ１には、スライド部材３がスライド可能に保持されている（図５〜図７参照）。
【００２０】
このスライド部材３は、プラグコネクタ１のレセプタクルコネクタ２への嵌合が完了していない状態では、第１位置としての初期位置から第２位置としてのスライド完了位置へのスライド移動が規制されるように、プラグコネクタ１にスライド可能に取り付けられている。なお、第１位置および第２位置は適宜設定することができる。
【００２１】
そして、プラグコネクタ１のレセプタクルコネクタ２への嵌合が完了した状態になると、初期位置からスライド完了位置へのスライド移動が許容されるように構成されている。このような構成とすることで、スライド部材３の初期位置からスライド完了位置へのスライドによって、プラグコネクタ１とレセプタクルコネクタ２との嵌合の完了を確認できるようになっている。
【００２２】
このように、本実施形態では、コネクタセットＣ１が、コネクタ位置保証（Connector Position Assurance；ＣＰＡ）機能を有しており、スライド部材３をＣＰＡ部材として機能させている。
【００２３】
［ケーブル１Ａの構成例］
次に、プラグコネクタ１が実装されるケーブル１Ａの構成の一例について、図８〜図１１に基づき説明する。
【００２４】
ケーブル１Ａは、表面（前面：一面）１ａＡおよび裏面（後面：他面）１ｂＡを持つシート状（平板状）をしており、表面１ａＡが、プラグコネクタ１が実装される実装面となっている。さらに、ケーブル１Ａは可撓性を有しており、ケーブル１Ａをケーブル厚さ方向に曲げる（湾曲させる）ことができるようになっている。
【００２５】
このケーブル１Ａは、プラグコネクタ１との連結に使用される連結領域１１Ａと、他の回路との配線のために導体層１５ｂＡが延伸する延伸領域１２Ａと、を備えている。
【００２６】
本実施形態では、ケーブル１Ａは、延伸領域１２Ａの一端側に連結領域１１Ａが位置するように形成されている。そして、連結領域１１Ａを連結したプラグコネクタ１をレセプタクルコネクタ２に嵌合させた状態において、延伸領域１２Ａがレセプタクルコネクタ２の反対側に位置するようになっている。
【００２７】
また、ケーブル１Ａは、多層構造をしており、支持層１５ａＡと、支持層１５ａＡに支持される導体層１５ｂＡと、を備えている。支持層１５ａＡは、複数の絶縁体膜からなり、導体層１５ｂＡを被覆するものである。一方、導体層１５ｂＡは、支持層１５ａＡを構成する絶縁体膜上に印刷された導体膜であり、後述する複数のプラグ端子（下側プラグ端子１３および上側プラグ端子１４）にそれぞれ対応する複数の配線パターンである。
【００２８】
また、連結領域１１Ａの上面には、支持層１５ａＡから露出された導体層１５ｂＡである複数の導体部１５１ｂＡが形成されている。複数の導体部１５１ｂＡは、前後方向に２列形成されており、各列の導体部１５１ｂＡが幅方向（Ｙ方向）に所定のピッチで並ぶように形成されている。さらに、本実施形態では、複数の導体部１５１ｂＡは、平面視（実装面１ａＡに沿って視た状態）で千鳥状となるように形成されている。
【００２９】
このような構造は、例えば、支持層１５ａＡ上に複数の導体膜を印刷することで導体層１５ｂＡを形成し、この導体層１５ｂＡ上を他の支持層１５ａＡで覆うことで形成することができる。このとき、導電層１５ｂＡの先端が覆われないように他の支持層１５ａＡを設けるようにすれば、導電層１５ｂＡの先端が一側（上下方向の上方）に露出したケーブル１Ａが形成される。
【００３０】
なお、ケーブル１Ａの形成方法は上記の方法に限られるものではなく、様々な方法で形成することができる。
【００３１】
また、連結領域１１Ａの上面には、プラグコネクタ１の後述する保持金具１５が固定される固定部１５ｃＡが形成されている。本実施形態では、ケーブル１Ａは、幅方向（Ｙ方向）に並設された複数の導体層１５ｂＡよりも幅方向（Ｙ方向）の両側に延設された幅広部１６Ａを備えており、各幅広部１６Ａの先端側（前後方向の前側）に一対の固定部１５ｃＡが形成されている。この固定部１５ｃＡは、例えば、導体層１５ｂＡの印刷工程において導体層１５ｂＡと同様に形成することができる。
【００３２】
また、本実施形態では、ケーブル１Ａの連結領域１１Ａには、幅方向（Ｙ方向）に細長く、前方に開口する切り欠き１１ａＡが段差状に形成されている。そして、連結領域１１Ａにおける切り欠き１１ａＡの幅方向（Ｙ方向）の両側には、ケーブル厚さ方向（上下方向；Ｚ方向）に貫通する貫通孔１１ｂＡが形成されている。
【００３３】
さらに、本実施形態では、ケーブル１Ａが補強板１４Ａを備えている。この補強板１４Ａは、ガラスエポキシ樹脂やステンレス等を用いて形成されており、ケーブル１Ａの連結領域１１Ａをプラグコネクタ１との間に挟み込むことにより、ケーブル１Ａの連結領域１１Ａを補強するものである。
【００３４】
本実施形態では、補強板１４Ａは、ケーブル１Ａの連結領域１１Ａの形状に対応した形状をしている。すなわち、補強板１４Ａは、平面視（実装面１ａＡに沿って視た状態）における輪郭形状が、連結領域１１Ａの輪郭形状と略同一の形状をしている。したがって、補強板１４Ａには、幅方向（Ｙ方向）に細長く、前方に開口する切り欠き１４ａＡと、ケーブル厚さ方向（上下方向；Ｚ方向）に貫通する貫通孔１４ｂＡと、が形成されている。そして、補強板１４Ａは、切り欠き１１ａＡと切り欠き１４ａＡとを連通させるとともに、貫通孔１１ｂＡと貫通孔１４ｂＡとを連通させた状態で、接着剤等により連結領域１１Ａの裏面側に取り付けられている。
【００３５】
このとき、平面視（実装面１ａＡに沿って視た状態）で、導体部１５１ｂＡの全体が補強板１４Ａと重なり合うようにするのが好ましい。こうすれば、導体部１５１ｂＡの全体が補強板１４Ａにより支持されるため、導体部１５１ｂＡが上下方向（Ｚ方向）に折れ曲がったり、幅方向（Ｙ方向）に撓んだりしてしまうのを抑制することができる。
【００３６】
［プラグコネクタ１の構成例］
次に、プラグコネクタ１の構成の一例について、図１２〜図１６に基づき説明する。
【００３７】
プラグコネクタ（コネクタ）１は、図１２に示すように、プラグハウジング（ハウジング）１０と、プラグハウジング１０に保持されるプラグ端子（端子：下側プラグ端子１３および上側プラグ端子１４）と、プラグハウジング１０に保持される保持金具１５と、を備えている。
【００３８】
そして、プラグハウジング１０に保持されたプラグ端子（下側プラグ端子１３および上側プラグ端子１４）が、プラグハウジング１０の外側に配置されたケーブル１Ａの導体部１５１ｂＡに実装されることで、プラグコネクタ１が被実装部材としてのケーブル１Ａに実装されるようになっている。なお、プラグ端子（下側プラグ端子１３および上側プラグ端子１４）は、半田付け等により導体部１５１ｂＡに実装されている。また、保持金具１５は、プラグハウジング１０に保持された状態で、半田付け等によりケーブル１Ａの固定部１５ｃＡに固定されることで、プラグハウジング１０をケーブル１Ａに固定するためのものである。
【００３９】
プラグハウジング１０は、剛性を有するハウジング本体１１を備えており、このプラグハウジング１０は、例えば、絶縁性の樹脂材料を用いて形成することができる。
【００４０】
また、ハウジング本体１１には、プラグハウジング１０とレセプタクルコネクタ２のレセプタクルハウジング２０とを嵌合状態で保持したり、嵌合状態を解除したりするロック部１２が形成されている。
【００４１】
このように、本実施形態では、プラグハウジング１０は、ハウジング本体１１と、ハウジング本体１１に形成されたロック部１２と、を備えている。
【００４２】
ハウジング本体１１は、天壁１１１と、底壁１１２と、天壁１１１および底壁１１２の幅方向（Ｙ方向）の両端をそれぞれ連設する一対の側壁１１３と、天壁１１１、底壁１１２および側壁１１３，１１３の前端に連設された前壁１１４と、を備えている。
【００４３】
また、ハウジング本体１１は、一対の側壁１１３および前壁１１４に連設されて、天壁１１１、底壁１１２、側壁１１３，１１３および前壁１１４で画成された空間を上下に仕切る仕切り壁１１５を備えている。
【００４４】
さらに、ハウジング本体１１は、天壁１１１、仕切り壁１１５および前壁１１４に連設された上側隔壁１１６を複数備えており、この上側隔壁１１６によって、仕切り壁１１５で仕切られた上側の空間が複数の空間に仕切られている。また、ハウジング本体１１は、底壁１１２、仕切り壁１１５および前壁１１４に連設された下側隔壁１１７を複数備えており、この下側隔壁１１７によって、仕切り壁１１５で仕切られた下側の空間が複数の空間に仕切られている。
【００４５】
そして、このハウジング本体１１の上部の幅方向中央部にロック部１２が形成されている。具体的には、天壁１１１は、幅方向の両側に形成されており、それぞれの天壁１１１の幅方向内側に上側隔壁１１６が連設されている。このように、本実施形態では、ハウジング本体１１は、挿入方向（前後方向；Ｘ方向）に沿って視た状態で、幅方向の中央部が凹んだ形状をしている。そして、このハウジング本体１１の幅方向の中央部に形成された凹部１１ａにロック部１２が形成されている。
【００４６】
ロック部１２は、仕切り壁１１５の前端に連設されて後方に延在するレバー部１２１を備えている。このレバー部１２１は、後側が仕切り壁１１５（ハウジング本体１１）に対して上下方向に相対移動できるようになっている。そして、レバー部１２１の後端には、レバー部１２１を操作する操作部１２１ａが形成されており、レバー部１２１の前後方向の中央部には、レセプタクルコネクタ２に形成された係合凹部（係合部）２２１ａに係合する係合突部１２１ｂが形成されている。
【００４７】
本実施形態では、プラグハウジング１０とレセプタクルコネクタ２のレセプタクルハウジング２０とを嵌合させた際に、係合突部１２１ｂが係合凹部２２１ａに係合して、各コネクタのハウジング同士をロック（嵌合状態で維持）できるようにしている。そして、レバー部１２１の操作部１２１ａを押し下げて、レバー部１２１を下方に移動させることで、係合突部１２１ｂも下方に移動し、係合凹部２２１ａとの係合が解除されて、各コネクタのハウジング同士の嵌合を解除できるようにしている。
【００４８】
さらに、凹部１１ａにおけるレバー部１２１の幅方向両側には、スライド部材３が挿入される挿入空間Ｓ６が形成されている。また、凹部１１ａにおけるレバー部１２１の下方（レバー部１２１と仕切り壁１１５との間）には、レバー部１２１の下方への撓み（ハウジング本体１１に対する相対移動）が許容される撓み許容空間Ｓ７が形成されている。
【００４９】
なお、挿入空間Ｓ６は、凹部１１ａを画成する上側隔壁１１６に、幅方向に突出するように形成された突出壁１１６ａによって、後述するスライド部材３の下側アーム部３２が挿入される空間と、上側アーム部３３が挿入される空間とに区画されている。
【００５０】
また、凹部１１ａを画成する上側隔壁１１６の突出壁１１６ａよりも下側の前後方向の中央部には、段差部１１６ｂが形成されており、下側アーム部３２が挿入される空間は、平面視で、前側が幅広となるように形成されている（図２５参照）。そして、下側アーム部３２の先端（前端）に幅方向外側に突出するように形成された係止突部３２ａを段差部１１６ｂに係止させることで、スライド部材３のハウジング本体１１からの抜けが抑制されるようにしている。
【００５１】
そして、天壁１１１の後部には、平面視で略Ｌ字状をした規制突部（スライド規制部）１１１ｂが形成されている。この規制突部１１１ｂは、プラグハウジング１０のレセプタクルハウジング２０への嵌合が完了していない状態のときに、スライド部材３が初期位置からスライド完了位置へとスライドしてしまうことを規制するものである。
【００５２】
前壁１１４には、仕切り壁１１５、上側隔壁１１６および下側隔壁１１７により仕切られた複数の空間と連通するように貫通孔１１４ａが形成されている。このように、本実施形態では、ハウジング本体１１には、前後方向に貫通する複数の空間が形成されている。そして、前後方向に貫通する空間内に、プラグ端子（下側プラグ端子１３および上側プラグ端子１４）がそれぞれ圧入（挿入）されるようになっている。
【００５３】
本実施形態では、ハウジング本体１１に、幅方向（Ｙ方向）に複数並設された空間が上下方向（Ｚ方向）に２段形成されるようにしている。さらに、ハウジング本体１１を前後方向の後方から視たときに、複数の空間が千鳥状に形成されるようにしている。こうすることで、プラグコネクタ１の幅方向の小型化を図っている。
【００５４】
具体的には、ハウジング本体１１の下側（実装面１ａＡ側）に、底壁１１２、仕切り壁１１５および下側隔壁１１７によって画成された空間を、幅方向（Ｙ方向）に複数並設させている。そして、このハウジング本体１１の下側（実装面１ａＡ側）に形成された空間が、下側プラグ端子１３が圧入（挿入）される第１空間Ｓ１となっている。
【００５５】
一方、ハウジング本体１１の上側（第１空間Ｓ１よりも実装面１ａＡから離れた位置）には、天壁１１１、仕切り壁１１５および上側隔壁１１６によって画成された空間を、幅方向（Ｙ方向）に複数並設させている。そして、このハウジング本体１１の上側に形成された空間が、上側プラグ端子１４が圧入（挿入）される第２空間Ｓ２となっている。
【００５６】
さらに、本実施形態では、上側隔壁１１６と下側隔壁１１７とが幅方向にずれた位置に形成されている。すなわち、第１空間Ｓ１と第２空間Ｓ２とが、平面視で一部が重なり合うように形成されている。言い換えると、プラグ端子（下側プラグ端子１３および上側プラグ端子１４）がプラグハウジング１０に保持されるとともにケーブル１Ａに実装された状態で、プラグハウジング１０を実装面１ａＡの法線方向（上下方向）に沿って視たときに、第１空間Ｓ１と第２空間Ｓ２とが重なり合うようにしている。
【００５７】
なお、本実施形態では、プラグハウジング１０を幅方向に沿って視たときに、挿入空間Ｓ６と第２空間Ｓ２とが重なり合うようにしている。こうすることで、スライド部材３が保持されるプラグハウジング１０の高さを低く抑えることができるようにしている。
【００５８】
そして、下側プラグ端子１３は、第１空間Ｓ１の後端側の開口から前方に向けて圧入（挿入）されるようになっており、この第１空間Ｓ１の後端側の開口が挿入口Ｓ１ａとなっている。また、第１空間Ｓ１の前端側の開口は、下側プラグ端子１３が抜け落ちないように、挿入口Ｓ１ａよりも小さくなっている。すなわち、挿入口Ｓ１ａから圧入（挿入）された下側プラグ端子１３の前方への移動が、前壁１１４によって規制されるようにしている。なお、第１空間Ｓ１の前端側の開口は、後述するレセプタクルコネクタ２の下側レセプタクル端子２３の接点部２３０ａを第１空間Ｓ１内に導入する導入口Ｓ１ｂとなっている。この導入口Ｓ１ｂの周縁部は、下側レセプタクル端子２３の接点部２３０ａが導入されやすいようにテーパ状に形成されている。
【００５９】
同様に、上側プラグ端子１４は、第２空間Ｓ２の後端側の開口から前方に向けて圧入（挿入）されるようになっており、この第２空間Ｓ２の後端側の開口が挿入口Ｓ２ａとなっている。また、第２空間Ｓ２の前端側の開口は、上側プラグ端子１４が抜け落ちないように、挿入口Ｓ２ａよりも小さくなっている。すなわち、挿入口Ｓ２ａから圧入（挿入）された上側プラグ端子１４の前方への移動が、前壁１１４によって規制されるようにしている。なお、第２空間Ｓ２の前端側の開口も、後述するレセプタクルコネクタ２の上側レセプタクル端子２４の接点部２４０ａを第２空間Ｓ２内に導入する導入口Ｓ２ｂとなっている。この導入口Ｓ２ｂの周縁部も、上側レセプタクル端子２４の接点部２４０ａが導入されやすいようにテーパ状に形成されている。
【００６０】
また、天壁１１１の下部には、後方および下方に開口する溝部１１１ａが第２空間Ｓ２に連通するように形成されている。この溝部１１１ａは、後述する上側プラグ端子１４の側壁１４４の上端が挿入されて、上側プラグ端子１４の第２空間Ｓ２への圧入（挿入）をガイドするものである。
【００６１】
本実施形態では、溝部１１１ａは、第２空間Ｓ２の幅方向両側に形成されており、各溝部１１１ａが、挿入口Ｓ２ａから前壁１１４まで延在するように形成されている。
【００６２】
すなわち、溝部１１１ａは、挿入方向（Ｘ方向）の長さが、側壁１３４の上端の溝部１１１ａへの挿入が開始されてから完了するまでの間に上側プラグ端子１４が移動する距離以上となるように形成されている。したがって、側壁１３４の上端における最初に溝部１１１ａに挿入される部位は、溝部１１１ａへの挿入が開始されてから上側プラグ端子１４の第２空間Ｓ２への圧入（挿入）が完了するまでの間、溝部１１１ａ内に存在することとなる。
【００６３】
なお、溝部１１１ａは、溝幅（Ｙ方向の長さ）が側壁１３４の板厚よりも若干広くなるように形成されている。
【００６４】
同様に、仕切り壁１１５の下部には、後方および下方に開口する溝部１１５ａが第１空間Ｓ１に連通するように形成されている。この溝部１１５ａは、後述する下側プラグ端子１３の側壁１３４の上端が挿入されて、下側プラグ端子１３の第１空間Ｓ１への圧入（挿入）をガイドするものである。
【００６５】
本実施形態では、溝部１１５ａも、第１空間Ｓ１の幅方向両側に形成されており、各溝部１１５ａが、挿入口Ｓ１ａから前壁１１４まで延在するように形成されている。
【００６６】
すなわち、溝部１１５ａは、挿入方向（Ｘ方向）の長さが、側壁１３４の上端の溝部１１５ａへの挿入が開始されてから完了するまでの間に下側プラグ端子１３が移動する距離以上となるように形成されている。したがって、側壁１３４の上端における最初に溝部１１５ａに挿入される部位は、溝部１１５ａへの挿入が開始されてから下側プラグ端子１３の第１空間Ｓ１への圧入（挿入）が完了するまでの間、溝部１１５ａ内に存在することとなる。
【００６７】
なお、溝部１１５ａは、溝幅（Ｙ方向の長さ）が側壁１３４の板厚よりも若干広くなるように形成されている。
【００６８】
さらに、本実施形態では、仕切り壁１１５の後端には、上下方向に延在して両端がそれぞれ第１空間Ｓ１および第２空間Ｓ２に開口する溝部１１５ｂが形成されている。具体的には、溝部１１５ｂは、１つの第２空間Ｓ２に連通するように形成された２つの溝部１１１ａのうちの一方（図１４（ｂ）の右側）の溝部１１１ａと上下方向に対向するように形成されている。
【００６９】
すなわち、図１４（ｂ）に示すように、ハウジング１０を前後方向の後方から視たときに、溝部１１５ｂと一方（図１４（ｂ）の右側）の溝部１１１ａとが、上下方向に一直線上に並ぶように配置されている。この溝部１１５ｂは、圧入（挿入）完了状態における上側プラグ端子１４の脚部１４１の上部が挿入されるものである。
【００７０】
また、底壁１１２の後端には、上下方向に延在して上端が第１空間Ｓ１に開口する溝部１１２ａが形成されている。具体的には、ハウジング１０を前後方向の後方から視たときに、溝部１１２ａ、一方（図１４（ｂ）の右側）の溝部１１１ａおよび溝部１１５ｂが、上下方向に一直線上に並ぶように配置されている。この溝部１１２ａは、圧入（挿入）完了状態における上側プラグ端子１４の脚部１４１の下部が挿入されるものである。
【００７１】
さらに、底壁１１２の後端には、上下方向に延在して両端がそれぞれ第１空間Ｓ１およびハウジング１０の下方に開口する溝部１１２ｂが形成されている。具体的には、溝部１１２ｂは、１つの第１空間Ｓ１に連通するように形成された２つの溝部１１５ａのうちの一方（図１４（ｂ）の右側）の溝部１１５ａと上下方向に対向するように形成されている。
【００７２】
すなわち、図１４（ｂ）に示すように、ハウジング１０を前後方向の後方から視たときに、溝部１１２ｂと一方（図１４（ｂ）の右側）の溝部１１５ａとが、上下方向に一直線上に並ぶように配置されている。この溝部１１２ｂは、圧入（挿入）完了状態における下側プラグ端子１３の脚部１３１が挿入されるものである。
【００７３】
また、底壁１１２の後端部には、下方および後方に開口して前後方向に延在する凹部１１２ｃが形成されている。この凹部１１２ｃは、圧入（挿入）完了状態における下側プラグ端子１３の第１実装片１３２が収容されるものである。
【００７４】
また、一対の側壁１１３，１１３には、後方に延在する延設部１１３ａ，１１３ａがそれぞれ形成されており、延設部１１３ａ，１１３ａが対向する領域が、プラグ端子１３，１４の第１，第２実装片１３２，１４２が収容される凹部１１３ｂとなっている。
【００７５】
このように、本実施形態では、延設部１１３ａ，１１３ａの後端よりも前側で、プラグ端子１３，１４の第１，第２実装片１３２，１４２がケーブル１Ａの導体部１５１ｂＡに実装されるようにしている。このとき、延設部１１３ａ，１１３ａと補強板１４Ａとでケーブル１Ａの連結領域１１Ａが挟持されるようにしている。
【００７６】
こうすれば、ケーブル１Ａがあおられて補強板１４Ａから離れる方向に移動した際に、ケーブル１Ａと補強板１４Ａとの接着が剥がれてしまうのをより確実に抑制することができる。さらに、延設部１１３ａ，１１３ａの先端（後端）よりも前側にプラグ端子１３，１４の第１，第２実装片１３２，１４２が位置するようにしているため、ケーブル１Ａのあおりによってプラグ端子１３，１４の第１，第２脚部１３１，１４１や第１，第２実装片１３２，１４２が変形してしまうのを抑制することができる。すなわち、プラグ端子１３，１４とケーブル１Ａとの実装部分をケーブル１Ａのあおりから保護することができる。
【００７７】
また、一対の側壁１１３，１１３の前端部には、保持金具１５が保持される保持金具取付部１１３ｃ，１１３ｃがそれぞれ形成されている。
【００７８】
本実施形態では、保持金具取付部１１３ｃは、上下方向および幅方向の外方に開口する凹部１１３ｄと、凹部１１３ｄの幅方向内側に連設されて、保持金具１５の本体部１５１の前後方向の両端が挿入されるスリット１１３ｅ，１１３ｅと、備えている。そして、保持金具１５をプラグハウジング１０に保持した状態で、本体部１５１の下端に連設された固定片１５２をケーブル１Ａの固定部１５ｃＡに固定することで、プラグハウジング１０をケーブル１Ａに固定させている。
【００７９】
また、底壁１１２の下側（裏面側）には、突部１１２ｄが下方に向けて突出するように形成されている。そして、このような突部１１２ｄを底壁１１２に形成することで、底壁１１２の下面に凹部１１２ｅが形成されるようにし、プラグコネクタ１をケーブル１Ａに実装させた際に、補強板１４Ａが取り付けられた連結領域１１Ａがこの凹部１１２ｅに収容されるようにしている（図９（ｂ）参照）。このように、本実施形態では、補強板１４Ａが取り付けられた連結領域１１Ａが、凹部１１２ｅに収容保持される被連結部１０Ａとなっている。そして、突部１１２ｄは、突出量が、被連結部１０Ａの厚さ（ケーブル１Ａの厚さと補強板１４Ａの厚さの和）以上となるように底壁１１２に形成されている。
【００８０】
このように、本実施形態では、プラグハウジング１０は、ハウジング厚み方向（上下方向：Ｚ方向）に対向する一対の壁部（天壁１１１および底壁１１２）を備えている。そして、一対の壁部（天壁１１１および底壁１１２）のうちの一方側の壁部である底壁１１２に、ケーブル１Ａの被連結部１０Ａ（補強板１４Ａが取り付けられた連結領域１１Ａ）が収容される凹部１１２ｅが形成されている。すなわち、プラグハウジング１０は、ケーブル（被実装部材）１Ａを受け入れる受入部（凹部１１２ｅ）を、ハウジング厚み方向（上下方向）の一方側の壁部（底壁１１２）に有している。
【００８１】
そして、このような構成とすることで、プラグハウジング１０をレセプタクルハウジング２０に嵌合させる際に、突部１１２ｄの下端がレセプタクルハウジング２０の内面と摺動するようにしている。すなわち、プラグハウジング１０をレセプタクルハウジング２０に嵌合させる際に、ケーブル１Ａの被連結部１０Ａがレセプタクルハウジング２０と干渉してしまうことを抑制できるようにしている。
【００８２】
ここで、本実施形態では、底壁１１２の周縁部のみに突部１１２ｄが形成されるようにし、底壁１１２の内側には突部１１２ｄが形成されないようにしている。
【００８３】
本実施形態では、底壁１１２の幅方向の両側の前端に、幅方向に細長く形成された一対の前側突部１１２ｆと、底壁１１２の幅方向の両側の後端に、前後方向に細長く形成された一対の後側突部１１２ｇのみで突部１１２ｄを構成している。
【００８４】
この前側突部１１２ｆおよび後側突部１１２ｇは、底壁１１２の側壁１１３が連設される部位に形成されている。具体的には、前側突部１１２ｆは、保持金具取付部１１３ｃの前方に、プラグハウジング１０の前端縁に沿うように形成されており、後側突部１１２ｇは、延設部１１３ａの幅方向外側に、延設部１１３ａの外側端縁に沿うように形成されている。このように、本実施形態では、底壁１１２の４隅のみに突部１１２ｄを形成している。
【００８５】
さらに、本実施形態では、ケーブル１Ａの被連結部１０Ａの形状を、輪郭線の一部が突部１１２ｄの内側の輪郭線と対応する形状としている。具体的には、ケーブル１Ａの被連結部１０Ａは、凹部１１２ｅに収容した状態で、切り欠き１１ａＡ，１４ａＡが形成されていない幅方向両側の前端縁が前側突部１１２ｆの内側（後側）の輪郭線に沿うとともに、幅方向両側の後端部が後側突部１１２ｇの幅方向内側の輪郭線に沿うように形成されている。こうすることで、前側突部１１２ｆによって被連結部１０Ａの前方への位置ずれが抑制されるようにし、後側突部１１２ｇによって被連結部１０Ａの幅方向への位置ずれが抑制されるようにしている。なお、被連結部１０Ａは、凹部１１２ｅに収容される形状であればよく、様々な形状とすることができる。
【００８６】
そして、本実施形態のように、底壁１１２の４隅のみに突部１１２ｄを形成すれば、プラグ端子１３，１４を幅方向（Ｙ方向：一方向）に並設されるように保持した状態のプラグハウジング１０を前後方向（Ｘ方向：交差方向）に沿って視たときに、突部１１２ｄがプラグ端子１３，１４の第１，第２実装片１３２，１４２と重なり合わないようにすることができる。
【００８７】
また、本実施形態では、プラグ端子１３，１４をプラグハウジング１０に保持した状態で、第１，第２実装片１３２，１４２の先端が凹部１１２ｅ側（プラグハウジング１０の下方）に突出している。
【００８８】
このように、本実施形態では、プラグ端子１３，１４を保持した状態のプラグハウジング１０を前後方向（Ｘ方向：交差方向）に沿って視た場合、前側および後側のどちら側から視ても、各プラグ端子の第１，第２実装片１３２，１４２の先端を視認することができるようになっている。なお、各プラグ端子の第１，第２実装片１３２，１４２の先端は、前後方向から視た場合、互いに幅方向に離間した状態でプラグハウジング１０の下方に突出している。
【００８９】
さらに、本実施形態では、第１，第２実装片１３２，１４２は、後述するように薄板状に形成されており、プラグ端子１３，１４をプラグハウジング１０に保持した状態で、第１，第２実装片１３２，１４２の板厚方向が、幅方向（Ｙ方向）と略一致するようにしている。すなわち、複数のプラグ端子１３，１４は、第１，第２実装片１３２，１４２の板厚方向に沿って並設されるように、プラグハウジング１０に保持されている。
【００９０】
また、プラグ端子１３，１４は、プラグハウジング１０に挿入保持される本体部（第１本体部１３０および第２本体部１４０）を有しており、本実施形態では、本体部１３０，１４０の挿入方向が前後方向（Ｘ方向）と略一致するようにしている。すなわち、突部１１２ｄがプラグ端子１３，１４の第１，第２実装片１３２，１４２と重なり合わない方向である交差方向を、本体部１３０，１４０のプラグハウジング１０への挿入方向と一致させている。
【００９１】
このように、本実施形態では、本体部１３０，１４０のプラグハウジング１０への挿入方向に沿って視たときに、互いに幅方向に離間した状態でプラグハウジング１０の下方に突出するプラグ端子１３，１４の第１，第２実装片１３２，１４２の全てと突部１１２ｄとが重なり合わないようにしている。
【００９２】
次に、プラグ端子（端子）の具体的な構成について、図１５および図１６に基づき説明する。
【００９３】
本実施形態では、プラグ端子（端子）は、プラグハウジング１０に形成された空間に挿入される本体部と、本体部からケーブル１Ａの実装面１ａＡに向けて延設された脚部と、脚部に連設されてケーブル１Ａに実装される実装部と、を備えている。
【００９４】
具体的には、プラグ端子は、ハウジング本体１１の下側（実装面１ａＡ側）に形成された第１空間Ｓ１に圧入（挿入）される下側プラグ端子１３を備えている。さらに、プラグ端子は、ハウジング本体１１の上側（第１空間Ｓ１よりも実装面１ａＡから離れた位置）に形成された第２空間Ｓ２に圧入（挿入）される上側プラグ端子１４を備えている。
【００９５】
本実施形態では、下側プラグ端子１３は、導電性を有しており、プラグハウジング１０の幅方向（Ｙ方向）に複数並設されている。この下側プラグ端子１３は、図１５に示すように、１枚の帯板状の金属部材を板厚方向に曲げた形状をしており、挿入方向（前後方向；Ｘ方向）に沿って視た状態で略Ｕ字状をしている（図１５（ｅ），（ｆ）参照）。このような下側プラグ端子１３は、例えば、所定の形状となるように打ち抜かれた帯板状の金属部材に曲げ加工を施すことで形成することができる。
【００９６】
また、下側プラグ端子１３は、第１空間Ｓ１に圧入（挿入）される第１本体部（本体部）１３０を備えている。さらに、下側プラグ端子１３は、第１本体部１３０から実装面１ａＡに向けて延設された第１脚部（脚部）１３１と、第１脚部１３１に連設されてケーブル１Ａに実装される第１実装片（実装部）１３２と、を備えている。
【００９７】
第１本体部１３０は、底壁１３３と、底壁１３３の幅方向（Ｙ方向）両端部に連設された側壁１３４と、を備えている。
【００９８】
底壁１３３は、側壁１３４の下端が連設された底壁本体１３５と、底壁本体１３５の前端に連設されて前方に突出する接点保護部１３６と、を備えている。この接点保護部１３６は、第１本体部１３０を第１空間Ｓ１に圧入（挿入）する際に、下側プラグ端子１３の接点部１３０ａがハウジング本体１１に接触してしまうのを抑制するものである。
【００９９】
また、底壁本体１３５および接点保護部１３６には、幅方向（Ｙ方向）両端から外方に向けて突出する規制片１３５ａ，１３６ａがそれぞれ形成されている。そして、この規制片１３５ａ，１３６ａによって、第１本体部１３０を第１空間Ｓ１に圧入（挿入）する際に、第１本体部１３０が斜めに圧入（挿入）されてしまうのが抑制されるようにしている。
【０１００】
側壁１３４は、下端が底壁本体１３５に連設された側壁本体１３７と、側壁本体１３７の前端に弾性変形可能に連設され、レセプタクルコネクタの接点部に接触する接触片１３８と、を備えている。
【０１０１】
側壁本体１３７の上端には、規制突起１３７ａが形成されており、この規制突起１３７ａによって、第１本体部１３０を第１空間Ｓ１に圧入（挿入）する際に、第１本体部１３０が浮き上がってしまうのが抑制されるようにしている。
【０１０２】
また、接触片１３８は、幅方向内側に屈曲するように側壁本体１３７の前端に連設された内側屈曲片１３８ａと、幅方向内側に屈曲するように内側屈曲片１３８ａの前端に連設された外側屈曲片１３８ｂと、を備えている。
【０１０３】
本実施形態では、この接触片１３８は、一対の側壁本体１３７，１３７のそれぞれに連設されており、平面視で略線対称となるように形成されている。すなわち、一対の接触片１３８，１３８は、前方に向かうにつれて互いに近づく方向に屈曲した形状の内側屈曲片１３８ａ，１３８ａと、前方に向かうにつれて互いに離れる方向に屈曲した形状の外側屈曲片１３８ｂ，１３８ｂと、を備えている。
【０１０４】
そして、一対の接触片１３８，１３８が最も近づいた部位（内側屈曲片１３８ａと外側屈曲片１３８ｂとの連設部）で、レセプタクルコネクタ２の接点部２３０ａを挟持するようにしている（図３（ｂ）参照）。このように、本実施形態では、一対の接触片１３８，１３８を、下側プラグ端子１３の接点部１３０ａとして機能させている。そして、一対の外側屈曲片１３８ｂを、レセプタクルコネクタ２の接点部１３０ａをよりスムーズに導入するためのガイド部として機能させている。
【０１０５】
さらに、本実施形態では、一対の側壁本体１３７，１３７のうちの一方の側壁本体１３７の後端に、後方に突出する延設壁１３９が連設されており、第１本体部１３０は、片側が後方に突出した形状をしている。
【０１０６】
この延設壁１３９の上端には、圧入突起１３９ａが形成されており、この圧入突起１３９ａをハウジング本体１１に食い込ませることで、第１本体部１３０が第１空間Ｓ１に圧入されている。
【０１０７】
なお、本実施形態では、下側プラグ端子１３の側壁１３４の上端が挿入されて、下側プラグ端子１３の第１空間Ｓ１への圧入（挿入）をガイドする溝部１１５ａが形成されている。そのため、第１本体部１３０の後方に突出した片側の側壁１３４を押圧することで、下側プラグ端子１３を第１空間Ｓ１へ圧入（挿入）させる場合であっても、下側プラグ端子１３の位置ずれが抑制される。その結果、下側プラグ端子１３を、よりスムーズ且つより正確に第１空間Ｓ１へと圧入（挿入）させることができる。
【０１０８】
そして、第１脚部１３１が、延設壁１３９の後端部から下方（ケーブル１Ａ：被実装部材）に向けて延設されている。このように、本実施形態では、第１脚部１３１は、第１空間Ｓ１に圧入（挿入）させた状態の第１本体部１３０からハウジング厚み方向に延設されている。また、第１脚部１３１の下端には、第１実装片１３２が前方に向けて突出するように連設されている。
【０１０９】
このとき、第１脚部１３１および第１実装片１３２は、薄板状（板状）に形成されており、板厚方向が側壁本体１３７の板厚方向と略同一の方向となるように形成されている。
【０１１０】
したがって、第１本体部１３０を第１空間Ｓ１に挿入するとともに第１実装片（実装部）１３２をケーブル（被実装部材）１Ａに実装した状態では、第１脚部１３１の板厚方向が幅方向（Ｙ方向）となる。すなわち、プラグコネクタ１をケーブル１Ａに実装した状態では、第１脚部１３１の板厚方向が、第１本体部１３０の第１空間Ｓ１への挿入方向および実装面１ａＡの法線方向と交差する方向となっている。
【０１１１】
一方、上側プラグ端子１４も、導電性を有しており、プラグハウジング１０の幅方向（Ｙ方向）に複数並設されている。この上側プラグ端子１４は、図１６に示すように、１枚の帯板状の金属部材を板厚方向に曲げた形状をしており、挿入方向（前後方向；Ｘ方向）に沿って視た状態で略Ｕ字状をしている（図１６（ｅ），（ｆ）参照）。このような上側プラグ端子１４も、例えば、所定の形状となるように打ち抜かれた帯板状の金属部材に曲げ加工を施すことで形成することができる。
【０１１２】
また、上側プラグ端子１４は、第２空間Ｓ２に圧入（挿入）される第２本体部（本体部）１４０を備えている。さらに、上側プラグ端子１４は、第２本体部１４０から実装面１ａＡに向けて延設された第２脚部（脚部）１４１と、第２脚部１４１に連設されてケーブル１Ａに実装される第２実装片（実装部）１４２と、を備えている。
【０１１３】
第２本体部１４０は、底壁１４３と、底壁１４３の幅方向（Ｙ方向）両端部に連設された側壁１４４と、を備えている。
【０１１４】
底壁１４３は、側壁１４４の下端が連設された底壁本体１４５と、底壁本体１４５の前端に連設されて前方に突出する接点保護部１４６と、を備えている。この接点保護部１４６は、第２本体部１４０を第２空間Ｓ２に圧入（挿入）する際に、上側プラグ端子１４の接点部１４０ａがハウジング本体１１に接触してしまうのを抑制するものである。
【０１１５】
また、底壁本体１４５および接点保護部１４６には、幅方向（Ｙ方向）両端から外方に向けて突出する規制片１４５ａ，１４６ａがそれぞれ形成されている。そして、この規制片１４５ａ，１４６ａによって、第２本体部１４０を第２空間Ｓ２に圧入（挿入）する際に、第２本体部１４０が斜めに圧入（挿入）されてしまうのが抑制されるようにしている。
【０１１６】
側壁１４４は、下端が底壁本体１４５に連設された側壁本体１４７と、側壁本体１４７の前端に弾性変形可能に連設され、レセプタクルコネクタ２の接点部２４０ａに接触する接触片１４８と、を備えている。
【０１１７】
側壁本体１４７の上端には、規制突起１４７ａが形成されており、この規制突起１４７ａによって、第２本体部１４０を第２空間Ｓ２に圧入（挿入）する際に、第２本体部１４０が浮き上がってしまうのが抑制されるようにしている。
【０１１８】
また、接触片１４８は、幅方向内側に屈曲するように側壁本体１４７の前端に連設された内側屈曲片１４８ａと、幅方向内側に屈曲するように内側屈曲片１４８ａの前端に連設された外側屈曲片１４８ｂと、を備えている。
【０１１９】
本実施形態では、この接触片１４８は、一対の側壁本体１４７，１４７のそれぞれに連設されており、平面視で略線対称となるように形成されている。すなわち、一対の接触片１４８，１４８は、前方に向かうにつれて互いに近づく方向に屈曲した形状の内側屈曲片１４８ａ，１４８ａと、前方に向かうにつれて互いに離れる方向に屈曲した形状の外側屈曲片１４８ｂ，１４８ｂと、を備えている。
【０１２０】
そして、一対の接触片１４８，１４８が最も近づいた部位（内側屈曲片１４８ａと外側屈曲片１４８ｂとの連設部）で、レセプタクルコネクタ２の接点部２４０ａを挟持するようにしている（図４（ｂ）参照）。このように、本実施形態では、一対の接触片１４８，１４８を、上側プラグ端子１４の接点部１４０ａとして機能させている。そして、一対の外側屈曲片１４８ｂを、レセプタクルコネクタ２の接点部２４０ａをよりスムーズに導入するためのガイド部として機能させている。
【０１２１】
さらに、本実施形態では、一対の側壁本体１４７，１４７のうちの一方の側壁本体１４７の後端に、後方に突出する延設壁１４９が連設されており、第２本体部１４０は、片側が後方に突出した形状をしている。
【０１２２】
この延設壁１４９の上端には、圧入突起１４９ａが形成されており、この圧入突起１４９ａをハウジング本体１１に食い込ませることで、第２本体部１４０が第２空間Ｓ２に圧入されている。
【０１２３】
なお、本実施形態では、上側プラグ端子１４の側壁１４４の上端が挿入されて、上側プラグ端子１４の第２空間Ｓ２への圧入（挿入）をガイドする溝部１１１ａが形成されている。そのため、第２本体部１４０の後方に突出した片側の側壁１４４を押圧することで、上側プラグ端子１４を第２空間Ｓ２へ圧入（挿入）させる場合であっても、上側プラグ端子１４の位置ずれが抑制される。その結果、上側プラグ端子１４を、よりスムーズ且つより正確に第２空間Ｓ２へと圧入（挿入）させることができる。
【０１２４】
そして、第２脚部１４１が、延設壁１４９の後端部から下方（ケーブル１Ａ：被実装部材）に向けて延設されている。この第２脚部１４１は、上下方向の長さが第１脚部１３１よりも長くなっている。このように、本実施形態では、第２脚部１４１は、第２空間Ｓ２に圧入（挿入）させた状態の第２本体部１４０からハウジング厚み方向に延設されている。また、第２脚部１４１の下端には、第２実装片１４２が後方に向けて突出するように連設されている。
【０１２５】
このように、本実施形態では、前後方向（Ｘ方向：本体部の空間への挿入方向）の前方（一方側）に突出するように第１実装片（実装部）１３２が第１脚部１３１に連設されている。また、前後方向（Ｘ方向：本体部の空間への挿入方向）の後方（他方側）に突出するように第２実装片（実装部）１４２が第２脚部１４１に連設されている。
【０１２６】
また、第１脚部１３１および第２脚部１４１は、第１本体部１３０および第２本体部１４０を第１空間Ｓ１および第２空間Ｓ２に挿入した状態で、前後方向の位置が略同一となるようにしている（図５〜図７参照）。そして、第１脚部１３１および第２脚部１４１は、第１本体部１３０および第２本体部１４０を第１空間Ｓ１および第２空間Ｓ２に挿入した状態で、幅方向の位置が略半ピッチだけずれるようにしている。
【０１２７】
したがって、本実施形態では、複数のプラグ端子１３，１４をプラグハウジング１０に保持させた状態で、実装部（第１実装片１３２および第２実装片１４２）が千鳥状に配置されるようになっている。
【０１２８】
さらに、第１実装片１３２は、第１本体部１３０を第１空間Ｓ１に挿入した状態で、底壁１１２の後端部に形成された凹部１１２ｃに収容されるようにしている。一方、第２実装片１４２は、第２本体部１４０を第２空間Ｓ２に挿入した状態で、第２空間Ｓ２の挿入口Ｓ２ａよりも後方に位置するようにしている。
【０１２９】
したがって、複数のプラグ端子１３，１４をプラグハウジング１０に保持させるとともにケーブル１Ａに実装させた状態における平面視で、第１実装片１３２がプラグハウジング１０と重なり合うこととなる。一方、複数のプラグ端子１３，１４をプラグハウジング１０に保持させるとともにケーブル１Ａに実装させた状態における平面視で、第２実装片１４２がプラグハウジング１０から露出することとなる。
【０１３０】
すなわち、プラグコネクタ１をケーブル１Ａに実装した状態で、プラグハウジング１０を実装面１ａＡの法線方向に沿って視たときに、第１実装片１３２および第２実装片１４２のうちいずれか一方の実装片（実装部）がプラグハウジング１０と重なり合っている。
【０１３１】
このように、本実施形態では、複数のプラグ端子１３，１４がプラグハウジング１０に保持された状態で、実装部（第１実装片１３２および第２実装片１４２）が空間の挿入口（後端縁）を挟んだ両側に千鳥状に配置されるようにしている。
【０１３２】
また、第２脚部１４１および第２実装片１４２も、薄板状（板状）に形成されており、板厚方向が側壁本体１４７の板厚方向と略同一の方向となるように形成されている。
【０１３３】
したがって、第２本体部１４０を第２空間Ｓ２に挿入するとともに第２実装片（実装部）１４２をケーブル（被実装部材）１Ａに実装した状態では、第２脚部１４１の板厚方向が幅方向（Ｙ方向）となる。すなわち、プラグコネクタ１をケーブル１Ａに実装した状態では、第２脚部１４１の板厚方向が、第２本体部１４０の第２空間Ｓ２への挿入方向および実装面１ａＡの法線方向と交差する方向となっている。
【０１３４】
また、本実施形態では、挿入口Ｓ１ａが、空間Ｓ１，Ｓ２にプラグ端子１３，１４の本体部１３０，１４０を挿入した状態で、前後方向の後方から視たときに、第２脚部１４１によって２つの領域に分断されている。すなわち、プラグコネクタ１をケーブル１Ａに実装した状態で、プラグハウジングを本体部１３０，１４０の空間Ｓ１，Ｓ２への挿入方向に沿って視たときに、第１空間Ｓ１の挿入口Ｓ１ａが第２脚部１４１によって２つの領域に分断されている。
【０１３５】
さらに、本実施形態では、第１本体部１３０の第１空間Ｓ１への圧入（挿入）完了位置において、第１脚部１３１が、溝部１１２ｂに挿入されて幅方向（Ｙ方向；板厚方向）への移動が規制された状態で保持されるようにしている。すなわち、ハウジング本体１１の底壁１１２に形成された溝部１１２ｂを、第１脚部１３１を保持する第１脚部保持部として機能させている。このように、プラグコネクタ１は、プラグハウジング１０に接続され、第１脚部１３１を保持する第１脚部保持部を備えている。本実施形態では、第１脚部保持部は、プラグハウジング１０に一体に形成されている。なお、プラグハウジング１０とは別体の部材をプラグハウジング１０に接続することで、第１脚部保持部を形成してもよい。
【０１３６】
また、第２本体部１４０の第２空間Ｓ２への圧入（挿入）完了位置において、第２脚部１４１が、溝部１１５ｂおよび溝部１１２ａに挿入されて幅方向（Ｙ方向；板厚方向）への移動が規制された状態で保持されるようにしている。すなわち、ハウジング本体１１の仕切り壁１１５に形成された溝部１１５ｂおよび底壁１１２に形成された溝部１１２ｂを、第２脚部１４１を保持する第２脚部保持部として機能させている。このように、プラグコネクタ１は、プラグハウジング１０に接続され、第２脚部１４１を保持する第２脚部保持部を備えている。本実施形態では、第２脚部保持部も、プラグハウジング１０に一体に形成されているが、別体に形成されていてもよい。
【０１３７】
こうすることで、プラグ端子１３，１４の本体部１３０，１４０の空間Ｓ１，Ｓ２への圧入（挿入）時や、空間Ｓ１，Ｓ２に圧入（挿入）されたプラグ端子１３，１４のケーブル１Ａへの実装時などに、第１，第２脚部１３１，１４１が変形してしまうのが抑制されるようにしている。
【０１３８】
［レセプタクルコネクタ２の構成例］
次に、レセプタクルコネクタ２の構成の一例を、図１７〜図２２に基づき説明する。
【０１３９】
レセプタクルコネクタ２は、図１７および図１８に示すように、レセプタクルハウジング（相手側のハウジング）２０と、レセプタクルハウジング２０に保持されるレセプタクル端子（相手側の端子：下側レセプタクル端子２３および上側レセプタクル端子２４）と、を備えている。また、レセプタクルコネクタ２は、レセプタクルハウジング２０に保持される保持金具（相手側の保持金具）２５を備えている。
【０１４０】
そして、レセプタクルハウジング２０に保持されたレセプタクル端子２３，２４が、レセプタクルハウジング２０の外側に配置された回路基板２Ａの導体部２ｂＡに実装されることで、レセプタクルコネクタ２が相手側の被実装部材としての回路基板２Ａに実装されるようになっている。なお、レセプタクル端子２３，２４も、半田付け等により導体部２ｂＡに実装されている。また、保持金具２５は、レセプタクルハウジング２０に保持された状態で、半田付け等により回路基板２Ａの固定部２ｃＡに固定されることで、レセプタクルハウジング２０を回路基板２Ａに固定するためのものである。
【０１４１】
なお、回路基板２Ａは、略矩形板状をしており、剛性および絶縁性を有する樹脂材料等で形成された基板本体２ａＡを備えている。そして、この基板本体２ａＡの表面２１ａＡに露出するように、導体部２ｂＡおよび固定部２ｃＡが形成されている。このように、本実施形態では、基板本体２ａＡの表面２１ａＡが実装面となっている。
【０１４２】
レセプタクルハウジング２０は、剛性を有するハウジング本体２１を備えており、このレセプタクルハウジング２０は、例えば、絶縁性の樹脂材料を用いて形成することができる。
【０１４３】
また、ハウジング本体２１の上部には、プラグハウジング１０とレセプタクルハウジング２０とを嵌合状態で保持したり、嵌合状態を解除したりするロック部１２が挿入されるロック部挿入部２２が形成されている。
【０１４４】
このように、本実施形態では、レセプタクルハウジング２０は、ハウジング本体２１と、ハウジング本体２１に形成されたロック部挿入部２２と、を備えている。
【０１４５】
ハウジング本体２１は、天壁２１１と、底壁２１２と、天壁２１１および底壁２１２の幅方向（Ｙ方向）の両端をそれぞれ連設する一対の側壁２１３と、天壁２１１、底壁２１２および側壁２１３，２１３の後端に連設された後壁２１４と、を備えている。
【０１４６】
そして、天壁２１１の幅方向中央部にロック部挿入部２２が形成されている。具体的には、ロック部挿入部２２は、天壁２１１の内側に形成されており、レバー部１２１を収容する収容部２２１を備えている。この収容部２２１の前後方向の中央部には、ロック部１２の係合突部１２１ｂが係合する係合凹部（係合部）２２１ａが形成されている。
【０１４７】
また、収容部２２１の幅方向両側には、スライド部材３の上側アーム部３３が挿入される挿入空間Ｓ８が形成されている。そして、天壁２１１には、下方に突出する突部（被係止部）２１１ａが、挿入方向（前後方向；Ｘ方向）に沿って視た状態で、挿入空間Ｓ８に配置されるように形成されている。この突部２１１ａは、上側アーム部３３を下方に撓ませたり、上側アーム部３３の先端に形成された係合突部３３ｂを係止したりするものである。
【０１４８】
また、底壁２１２の幅方向中央部には、上方に突出する位置決め突部２１２ｂが形成されている。この位置決め突部２１２ｂは、切り欠き１１ａＡおよび切り欠き１４ａＡと対応するように形成されている。そして、プラグハウジング１０をレセプタクルハウジング２０に嵌合させる際には、位置決め突部２１２ｂが切り欠き１１ａＡおよび切り欠き１４ａＡに挿入され、この位置決め突部２１２ｂによって、ケーブル１Ａの幅方向の位置決めがなされるようにしている。
【０１４９】
また、後壁２１４には、前後方向に貫通する空間が複数形成されている。本実施形態では、幅方向（Ｙ方向）に複数並設された空間が上下方向（Ｚ方向）に２段形成されるようにしている。さらに、ハウジング本体２１を前後方向の後方から視たときに、複数の空間が千鳥状に形成されるようにしている。こうすることで、レセプタクルコネクタ２の幅方向の小型化を図っている。
【０１５０】
そして、前後方向に貫通する空間内に、下側レセプタクル端子２３および上側レセプタクル端子２４がそれぞれ圧入（挿入）されるようになっている。
【０１５１】
具体的には、ハウジング本体２１の下側（実装面２１ａＡ側）に形成された空間が、下側レセプタクル端子２３が圧入（挿入）される第１空間Ｓ３となっている。
【０１５２】
一方、ハウジング本体２１の上側（第１空間Ｓ３よりも実装面２１ａＡから離れた位置）に形成された空間が、上側レセプタクル端子２４が圧入（挿入）される第２空間Ｓ４となっている。
【０１５３】
そして、下側レセプタクル端子２３は、第１空間Ｓ３の後端側の開口から前方に向けて圧入（挿入）されるようになっており、この第１空間Ｓ３の後端側の開口が挿入口Ｓ３ａとなっている。同様に、上側レセプタクル端子２４は、第２空間Ｓ４の後端側の開口から前方に向けて圧入（挿入）されるようになっており、この第２空間Ｓ４の後端側の開口が挿入口Ｓ４ａとなっている。
【０１５４】
また、ハウジング本体２１には、前方（プラグコネクタ１側）に開口する嵌合空間Ｓ５が形成されている。この嵌合空間Ｓ５は、プラグハウジング１０のハウジング本体１１が挿入嵌合される空間で、天壁２１１、底壁２１２、一対の側壁２１３，２１３および後壁２１４によって画成されている。したがって、第１空間Ｓ３および第２空間Ｓ４は、それぞれ嵌合空間Ｓ５に連通するように形成されている。
【０１５５】
さらに、本実施形態では、後壁２１４の後端に、上下方向に延在して後方に突出する突条２１４ａが幅方向に複数並設されている。具体的には、突条２１４ａは、幅方向で隣り合う第１空間Ｓ３と第２空間Ｓ４との間に形成されている。
【０１５６】
また、底壁２１２の後端部には、下方および後方に開口して前後方向に延在する凹部２１２ａが形成されている。この凹部２１２ａは、圧入（挿入）完了状態における上側レセプタクル端子２４の実装片（相手側の実装部）２４２が収容されるものである。
【０１５７】
また、一対の側壁２１３，２１３には、保持金具２５が保持される保持金具取付部２１３ａ，２１３ａがそれぞれ形成されている。
【０１５８】
本実施形態では、保持金具取付部２１３ａは、上下方向および幅方向の外方に開口する凹部２１３ｂと、凹部２１３ｂの幅方向内側に連設されて、保持金具２５の本体部２５１の前後方向の両端が挿入されるスリット２１３ｃ，２１３ｃと、備えている。そして、保持金具２５をレセプタクルハウジング２０に保持した状態で、本体部２５１の下端に連設された固定片２５２を回路基板２Ａの固定部２ｃＡに固定することで、レセプタクルハウジング２０を回路基板２Ａに固定させている。
【０１５９】
また、本実施形態では、レセプタクル端子は、レセプタクルハウジング２０に形成された空間に挿入される本体部と、本体部から回路基板２Ａの実装面２１ａＡに向けて延設された脚部と、脚部に連設されて回路基板２Ａに実装される実装部と、を備えている。
【０１６０】
具体的には、レセプタクル端子は、ハウジング本体２１の下側（実装面２１ａＡ側）に形成された第１空間Ｓ３に圧入（挿入）される下側レセプタクル端子２３を備えている。さらに、レセプタクル端子は、ハウジング本体２１の上側（第１空間Ｓ３よりも実装面２１ａＡから離れた位置）に形成された第２空間Ｓ４に圧入（挿入）される上側レセプタクル端子２４を備えている。
【０１６１】
本実施形態では、下側レセプタクル端子２３は、導電性を有しており、レセプタクルハウジング２０の幅方向（Ｙ方向）に複数並設されている。この下側レセプタクル端子２３は、図２１に示すように、薄板状に形成されており、板厚方向を幅方向（Ｙ方向）に略一致させた状態でハウジング本体２１に形成された第１空間Ｓ３に後方から圧入（挿入）されている。このような下側レセプタクル端子２３は、例えば、薄板金属を打抜き加工することで形成することができる。
【０１６２】
また、下側レセプタクル端子２３は、第１空間Ｓ３に圧入（挿入）される第１本体部（相手側の本体部）２３０を備えている。さらに、下側レセプタクル端子２３は、第１本体部２３０から実装面２１ａＡに向けて延設された第１脚部（相手側の脚部）２３１と、第１脚部２３１に連設されて回路基板２Ａに実装される第１実装片（相手側の実装部）２３２と、を備えている。
【０１６３】
そして、第１本体部２３０の前端には、略棒状の接点部（相手側の接点部）２３０ａが前方に突出するように形成されている。また、第１本体部２３０の上端および下端には、圧入突起２３０ｂが形成されており、この圧入突起２３０ｂをハウジング本体２１に食い込ませることで、第１本体部２３０が第１空間Ｓ３に圧入されている。そして、第１本体部２３０を第１空間Ｓ３に圧入（挿入）した状態で、接点部２３０ａが嵌合空間Ｓ５内に配置されるようにしている。
【０１６４】
また、本実施形態では、第１脚部２３１が、第１本体部２３０の後端部から下方（回路基板２Ａ：被実装部材）に向けて延設されている。具体的には、第１脚部２３１は、クランク状に屈曲した形状をしており、下端が第１本体部２３０よりも後方に位置するようになっている。このように、本実施形態では、第１脚部２３１は、第１空間Ｓ３に圧入（挿入）させた状態の第１本体部２３０からハウジング厚み方向（上下方向）に延設されている。そして、この第１脚部２３１の下端に、第１実装片２３２が後方に向けて突出するように連設されている。
【０１６５】
一方、上側レセプタクル端子２４も、導電性を有しており、レセプタクルハウジング２０の幅方向（Ｙ方向）に複数並設されている。この上側レセプタクル端子２４は、図２２に示すように、薄板状に形成されており、板厚方向を幅方向（Ｙ方向）に略一致させた状態でハウジング本体２１に形成された第２空間Ｓ４に後方から圧入（挿入）されている。このような上側レセプタクル端子２４も、例えば、薄板金属を打抜き加工することで形成することができる。
【０１６６】
また、上側レセプタクル端子２４は、第２空間Ｓ４に圧入（挿入）される第２本体部（相手側の本体部）２４０を備えている。さらに、上側レセプタクル端子２４は、第２本体部２４０から実装面２１ａＡに向けて延設された第２脚部（相手側の脚部）２４１と、第２脚部２４１に連設されて回路基板２Ａに実装される第２実装片（相手側の実装部）２４２と、を備えている。
【０１６７】
そして、第２本体部２４０の前端には、略棒状の接点部（相手側の接点部）２４０ａが前方に突出するように形成されている。また、第２本体部２４０の上端および下端には、圧入突起２４０ｂが形成されており、この圧入突起２４０ｂをハウジング本体２１に食い込ませることで、第２本体部２４０が第２空間Ｓ４に圧入されている。そして、第２本体部２４０を第２空間Ｓ４に圧入（挿入）した状態で、接点部２４０ａが嵌合空間Ｓ５内に配置されるようにしている。
【０１６８】
また、本実施形態では、第２脚部２４１が、第２本体部２４０の後端部から下方（回路基板２Ａ：被実装部材）に向けて略直線状に延設されている。このように、本実施形態では、第２脚部２４１は、第２空間Ｓ４に圧入（挿入）させた状態の第２本体部２４０からハウジング厚み方向（上下方向）に延設されている。この第２脚部２４１は、上下方向の長さが第１脚部２３１よりも長くなっている。そして、この第２脚部２４１の下端に、第１実装片２３２が前方に向けて突出するように連設されている。
【０１６９】
このように、本実施形態では、前後方向（Ｘ方向：本体部の空間への挿入方向）の前方（一方側）に突出するように第２実装片（実装部）２４２が第２脚部２４１に連設されている。また、前後方向（Ｘ方向：本体部の空間への挿入方向）の後方（他方側）に突出するように第１実装片２３２が第１脚部２３１に連設されている。
【０１７０】
すなわち、複数のレセプタクル端子をレセプタクルハウジング２０に保持させた状態で、実装部（第１実装片２３２および第２実装片２４２）が千鳥状に配置されるようになっている。
【０１７１】
さらに、第２実装片２４２は、第２本体部２４０を第２空間Ｓ４に挿入した状態で、底壁２１２の後端部に形成された凹部２１２ａに収容されるようにしている。一方、第１実装片２３２は、第１本体部２３０を第１空間Ｓ３に挿入した状態で、第１空間Ｓ３の挿入口Ｓ３ａよりも後方に位置するようにしている。
【０１７２】
したがって、複数のレセプタクル端子２３，２４をレセプタクルハウジング２０に保持させるとともに回路基板２Ａに実装させた状態における平面視で、第２実装片２４２がレセプタクルハウジング２０と重なり合うこととなる。一方、複数のレセプタクル端子２３，２４をレセプタクルハウジング２０に保持させるとともに回路基板２Ａに実装させた状態における平面視で、第１実装片２３２がレセプタクルハウジング２０から露出することとなる。
【０１７３】
すなわち、レセプタクルコネクタ２を回路基板２Ａに実装した状態で、レセプタクルハウジング２０を実装面２１ａＡの法線方向に沿って視たときに、第１実装片２３２および第２実装片２４２のうちいずれか一方の実装片（実装部）がレセプタクルハウジング２０と重なり合っている。
【０１７４】
このように、本実施形態では、複数のレセプタクル端子２３，２４がレセプタクルハウジング２０に保持された状態で、実装部（第１実装片２３２および第２実装片２４２）が空間の挿入口（後端縁）を挟んだ両側に千鳥状に配置されるようにしている。
【０１７５】
さらに、本実施形態では、第１本体部２３０の第１空間Ｓ３への圧入（挿入）完了位置において、第１脚部２３１が突条２１４ａの間に、幅方向（Ｙ方向；板厚方向）への移動が規制された状態で保持されるようにしている。すなわち、ハウジング本体２１の後壁２１４に形成された突条２１４ａを、第１脚部２３１を保持する第１脚部保持部として機能させている。このように、レセプタクルコネクタ２は、レセプタクルハウジング２０に接続され、第１脚部２３１を保持する第１脚部保持部を備えている。本実施形態では、第１脚部保持部は、レセプタクルハウジング２０に一体に形成されている。なお、レセプタクルハウジング２０とは別体の部材をレセプタクルハウジング２０に接続することで、第１脚部保持部を形成してもよい。
【０１７６】
また、第２本体部２４０の第２空間Ｓ４への圧入（挿入）完了位置において、第２脚部２４１が突条２１４ａの間に、幅方向（Ｙ方向；板厚方向）への移動が規制された状態で保持されるようにしている。すなわち、ハウジング本体２１の後壁２１４に形成された突条２１４ａを、第２脚部２４１を保持する第２脚部保持部としても機能させている。このように、レセプタクルコネクタ２は、レセプタクルハウジング２０に接続され、第２脚部２４１を保持する第２脚部保持部を備えている。本実施形態では、第２脚部保持部も、レセプタクルハウジング２０に一体に形成されているが、別体に形成されていてもよい。
【０１７７】
こうすることで、レセプタクル端子２３，２４の本体部２３０，２４０の空間Ｓ３，Ｓ４への圧入（挿入）時に、脚部２３１，２４１が変形してしまうのが抑制されるようにしている。
【０１７８】
このような構成をしたレセプタクルコネクタ２に上述のプラグコネクタ１を嵌合させると、プラグハウジング１０のロック部１２がレセプタクルハウジング２０のロック部挿入部２２に挿入され、ハウジング本体１１が嵌合空間Ｓ５に挿入されることとなる。
【０１７９】
このとき、レバー部１２１の係合突部１２１ｂがレセプタクルハウジング２０の天壁２１１により下方に押圧されることになる。このように、係合突部１２１ｂが天壁２１１により下方に押圧されると、レバー部１２１の後端部（操作部１２１ａ）が下方に移動するように弾性変形して、係合突部１２１ｂがロック部挿入部２２の奥側まで移動できるようになる。
【０１８０】
そして、係合突部１２１ｂをロック部挿入部２２の奥側まで移動させると、天壁２１１による係合突部１２１ｂの下方への押圧が解除されて、レバー部１２１の弾性復元力により係合突部１２１ｂが上方に移動する。そして、係合突部１２１ｂが上方に移動することで、レセプタクルコネクタ２に形成された係合凹部２２１ａに係合して、プラグコネクタ１とレセプタクルコネクタ２とが嵌合状態でロックされることになる。
【０１８１】
また、プラグコネクタ１をレセプタクルコネクタ２に嵌合させる途中で、下側レセプタクル端子２３の接点部２３０ａの先端が導入口Ｓ１ｂからプラグハウジング１０に形成された第１空間Ｓ１内に導入されて、下側プラグ端子１３の接点部１３０ａに接触する。なお、本実施形態では、略棒状の接点部２３０ａが一対の接触片１３８，１３８の間に挿入され、一対の接触片１３８，１３８によって挟持されることで、下側プラグ端子１３と下側レセプタクル端子２３とを導通接続させている。
【０１８２】
同様に、上側レセプタクル端子２４の接点部２４０ａの先端が導入口Ｓ２ｂからプラグハウジング１０に形成された第２空間Ｓ２内に導入されて、上側プラグ端子１４の接点部１４０ａに接触する。なお、本実施形態では、略棒状の接点部２４０ａが一対の接触片１４８，１４８の間に挿入され、一対の接触片１４８，１４８によって挟持されることで、上側プラグ端子１４と上側レセプタクル端子２４とを導通接続させている。
【０１８３】
このように、プラグコネクタ１をレセプタクルコネクタ２に嵌合させて、プラグ端子１３，１４とレセプタクル端子２３，２４とをそれぞれ導通接続させることで、ケーブル１Ａと回路基板２Ａとを電気的に接続させるコネクタセットＣ１が形成される。
【０１８４】
一方、プラグコネクタ１をレセプタクルコネクタ２から取り外す際には、まず、レバー部１２１の操作部１２１ａを押し下げて、レバー部１２１を下方に移動させる。こうすることで、係合突部１２１ｂも下方に移動し、係合突部１２１ｂと係合凹部２２１ａとの係合が解除される。そして、係合突部１２１ｂと係合凹部２２１ａとの係合を解除した状態で、プラグコネクタ１をレセプタクルコネクタ２に対して抜去方向に引っ張ると、プラグコネクタ１がレセプタクルコネクタ２に対して抜去方向に相対移動することとなる。このように、プラグコネクタ１をレセプタクルコネクタ２に対して抜去方向に相対移動させると、まず、端子同士の導通接続が解除され、その後に、ハウジング同士の嵌合が解除されることとなる。こうして、プラグコネクタ１がレセプタクルコネクタ２から取り外されることになる。
【０１８５】
［スライド部材３の構成例］
次に、スライド部材３の構成の一例を、図２３および図２４に基づき説明する。
【０１８６】
スライド部材３は、略矩形板状の本体部３１を備えており、この本体部３１の上部に取手３１ａが形成されている。
【０１８７】
また、本体部３１の下部における幅方向の両側には、一対の下側アーム部３２が前後方向の前方に延びるように連設されている。一対の下側アーム部３２は、片持ち状態で本体部３１に連設されており、幅方向に弾性変形できるように形成されている。この下側アーム部３２の先端（前端）には、幅方向外側に突出するように係止突部３２ａが形成されている。
【０１８８】
一方、本体部３１の上部における幅方向の両側には、一対の上側アーム部３３が前後方向の前方に延びるように連設されている。一対の上側アーム部３３は、片持ち状態で本体部３１に連設されており、上下方向（端子の挿入方向と交差する方向）に弾性変形できるように形成されている。本実施形態では、一対の上側アーム部３３は、根元側（本体部３１に連設される側）が幅広となるように形成されている。そして、上側アーム部３３の先端（前端）には、上方に突出するように係合突部（係合部）３３ｂが形成されている。
【０１８９】
また、上側アーム部３３の前後方向の略中央部には、上方に突出する突部３３ａが形成されている。
【０１９０】
そして、本体部３１の下部における幅方向の中央には、前方かつ上方に延在する規制突部（規制部）３１ｂが形成されている。
【０１９１】
さらに、本実施形態では、下側アーム部３２の先端（前端）に、上方に突出する突部３２ｂが形成されており、下側アーム部３２の先端の上下方向の厚さが、下側アーム部３２と上側アーム部３３との間の隙間（上下方向の最大距離）よりも大きくなるようにしている。また、上側アーム部３３の先端（前端）に、下方に突出する突部３３ｃが形成されており、上側アーム部３３の先端の上下方向の厚さが、下側アーム部３２と上側アーム部３３との間の隙間（上下方向の最大距離）よりも大きくなるようにしている。このとき、下側アーム部３２は、先端が上側アーム部３３の先端よりも前方に突出するように形成されており、上側アーム部３３を上下方向に弾性変形させた際に突部３３ｃと突部３２ｂとが干渉しないようにしている。
【０１９２】
さらに、前方に突出している下側アーム部３２の先端側の幅も、下側アーム部３２と上側アーム部３３との間の隙間（上下方向の最大距離）よりも大きくなるようにしている。
【０１９３】
こうすることで、スライド部材３の下側アーム部３２と上側アーム部３３との間の隙間に、他のスライド部材３の下側アーム部３２や上側アーム部３３が挿入されて、アーム部同士が絡まってしまうことを抑制できるようにしている。このように、本実施形態にかかるスライド部材３は、上側アーム部３３の上下方向への弾性変形を邪魔することなく、アーム部同士の絡まりを抑制することができるように構成されている。
【０１９４】
次に、スライド部材３の動作の一例を、図２５〜図２８に基づき説明する。
【０１９５】
上述したように、本実施形態では、このスライド部材３をＣＰＡ部材として機能させている。すなわち、スライド部材３は、プラグハウジング１０のレセプタクルハウジング２０への嵌合が完了していない状態では、初期位置（第１位置）からスライド完了位置（第１位置）へのスライド移動が規制されるように、プラグハウジング１０にスライド可能に取り付けられている。そして、プラグハウジング１０のレセプタクルハウジング２０への嵌合が完了した状態になると、初期位置からスライド完了位置へのスライド移動が許容されるように構成されている。
【０１９６】
具体的には、スライド部材３は、下側アーム部３２の先端を幅方向の内側に撓ませた状態で挿入空間Ｓ６に挿入するようになっている。このとき、上側アーム部３３の先端も挿入空間Ｓ６に挿入されることとなる。
【０１９７】
そして、下側アーム部３２および上側アーム部３３の先端を挿入空間Ｓ６に挿入させた状態で、スライド部材３を前方に所定量だけ移動させる（挿入する）と、下側アーム部３２の先端が、凹部１１ａを画成する上側隔壁１１６に形成された段差部１１６ｂよりも前方に移動することとなる。このように、下側アーム部３２の先端が段差部１１６ｂよりも前方に移動すると、下側アーム部３２が弾性復元力により互いに開く方向（幅方向の外側）に移動し、下側アーム部３２の係止突部３２ａが段差部１１６ｂに係止されることとなる。こうして、スライド部材３は、ハウジング本体１１からの抜けが抑制された状態で、プラグハウジング１０にスライド可能に保持される（仮保持される）こととなる（図２５参照）。
【０１９８】
なお、下側アーム部３２の係止突部３２ａを段差部１１６ｂに係止させた状態では、上側アーム部３３は、突部３３ａが、規制突部（スライド規制部）１１１ｂの後方に、当該規制突部（スライド規制部）１１１ｂと対向するように配置されることとなる（図２６参照）。
【０１９９】
したがって、レセプタクルハウジング２０に嵌合していないプラグハウジング１０にスライド部材３を仮保持した状態で、スライド部材３を前方にスライドさせようとすると、上側アーム部３３の突部３３ａが規制突部１１１ｂに突き当たるため、スライド部材３のそれ以上の前方への移動が規制されることとなる。
【０２００】
本実施形態では、このような構成とすることで、プラグハウジング１０のレセプタクルハウジング２０への嵌合が完了していない状態では、スライド部材３が初期位置からスライド完了位置へとスライドさせることができないようにしている。なお、本実施形態では、下側アーム部３２の係止突部３２ａを段差部１１６ｂに係止させた状態を、スライド部材３の初期位置としている。
【０２０１】
そして、スライド部材３を仮保持させたプラグハウジング１０をレセプタクルハウジング２０に嵌合させると、嵌合開始から嵌合完了までの間に、上側アーム部３３の係合突部３３ｂが天壁２１１の突部２１１ａに当接して下方に押し下げられることとなる。そして、プラグハウジング１０とレセプタクルハウジング２０との嵌合が完了した状態においては、係合突部３３ｂの先端が突部２１１ａの下面に当接して、上側アーム部３３が下方に撓んだ状態となる。このとき、上側アーム部３３の突部３３ａも下方に移動して、規制突部（スライド規制部）１１１ｂよりも下側に位置することとなる（図２７参照）。
【０２０２】
したがって、プラグハウジング１０をレセプタクルハウジング２０に嵌合させると、規制突部１１１ｂによる突部３３ａの前方への移動の規制が解除されるため、スライド部材３を前方にスライドさせることができるようになる。このように、本実施形態では、上下に弾性変形可能な上側アーム部３３と、この上側アーム部３３に、規制突部１１１ｂに当接可能に形成された突部３３ａと、をスライドロック機構として機能させている。
【０２０３】
そして、スライド部材３を前方にスライドさせて、上側アーム部３３の係合突部３３ｂを天壁２１１の突部２１１ａの前端に係止させることで、このスライド部材３によっても、プラグハウジング１０とレセプタクルハウジング２０とを嵌合状態でロックしている（図２８参照）。なお、本実施形態では、上側アーム部３３の係合突部３３ｂを天壁２１１の突部２１１ａの前端に係止させた状態を、スライド部材３のスライド完了位置（完了位置：第２位置）としている。
【０２０４】
こうすることで、コネクタセットＣ１は、レバー部１２１およびスライド部材３により二重にロックされることとなる。
【０２０５】
さらに、本実施形態では、スライド部材３をスライド完了位置（完了位置）までスライドさせると、規制突部（規制部）３１ｂが撓み許容空間Ｓ７に挿入されるようにしている。そして、撓み許容空間Ｓ７に挿入された規制突部３１ｂによって、レバー部１２１の下方への移動が規制されるようにしている。このとき、レバー部１２１が規制突部３１ｂに当接した状態でも、係合突部１２１ｂと係合凹部２２１ａとが係合しているように、規制突部３１ｂの上方への突出量を設定するのが好ましい。こうすれば、スライド部材３によるロックを解除させない限り、レバー部１２１によるロックが解除されないようにすることができ、より確実にロック状態を維持できるようになる。
【０２０６】
なお、レバー部１２１およびスライド部材３により二重にロックされたコネクタセットＣ１の嵌合を解除する場合、まず、スライド完了位置にあるスライド部材３を初期位置までスライドさせることとなる。本実施形態では、スライド部材３を後方（初期位置側）まで強く引っ張ることで、係合突部３３ｂと突部２１１ａとの係止が解除されるようになっている。したがって、例えば、操作者等が取手３１ａを把持してスライド部材３を後方に強く引っ張るようにすれば、スライド部材３は初期位置までスライドすることとなる。
【０２０７】
このように、スライド部材３を初期位置までスライドさせることで、レバー部１２１の下方への移動の規制が解除され、レバー部１２１によるロックを解除できるようになる。
【０２０８】
そして、上述したプラグコネクタ１のレセプタクルコネクタ２からの取り外し作業を行うことで、プラグコネクタ１がレセプタクルコネクタ２から取り外されることになる。
【０２０９】
［作用・効果］
以上説明したように、本実施形態にかかるプラグコネクタ（コネクタ）１は、プラグハウジング（ハウジング）１０と、ケーブル（被接続部材）１Ａに実装される第１，第２実装片（実装部）を有し、プラグハウジング１０に保持される端子（下側プラグ端子１３および上側プラグ端子１４）と、を備えている。
【０２１０】
また、プラグハウジング１０には、ケーブル１Ａの被連結部１０Ａが収容保持される凹部１１２ｅと、被連結部１０Ａの厚さよりも突出して凹部１１２ｅを画成する突部１１２ｄと、が形成されている。そして、突部１１２ｄがプラグハウジング１０の周縁部のみに形成されている。
【０２１１】
こうすれば、被連結部１０Ａの形状（輪郭形状）や凹部１１２ｅ内の配置位置を限定する突部１１２ｄがプラグハウジング１０の中央部に存在しなくなるため、被連結部１０Ａの形状自由度や凹部１１２ｅ内への配置自由度をより向上させることができる。
【０２１２】
このように、本実施形態によれば、ケーブル（被接続部材）１Ａのプラグハウジング（ハウジング）１０への連結自由度をより高めることが可能なプラグコネクタ（コネクタ）１を得ることができる。
【０２１３】
また、本実施形態では、複数の端子（下側プラグ端子１３および上側プラグ端子１４）がプラグハウジング１０に幅方向（Ｙ方向：一方向）に並設するように保持されている。
【０２１４】
また、複数の端子１３，１４をプラグハウジング１０に保持した状態で、複数の端子１３，１４は、それぞれの実装部（第１，第２実装片１３２，１４２）の先端がプラグハウジング１０よりも凹部１１２ｅ側に突出している。
【０２１５】
そして、突部１１２ｄは、複数の端子１３，１４を保持したプラグハウジング１０を前後方向（Ｘ方向：一方向と交差する交差方向）に沿って視た状態で、複数の実装部１３２，１４２と重なり合わないように形成されている。
【０２１６】
こうすれば、端子（下側プラグ端子１３および上側プラグ端子１４）を保持した状態のプラグハウジング１０を前後方向（Ｘ方向：交差方向）に沿って視た場合、前側および後側のどちら側から視ても、各プラグ端子の第１，第２実装片１３２，１４２の先端を視認することができる。
【０２１７】
また、本実施形態では、実装部１３２，１４２が薄板状に形成されており、複数の端子１３，１４は、実装部１３２，１４２の板厚方向に沿って並設されている。
【０２１８】
こうすれば、実装部１３２，１４２が上下方向（板厚方向と交差する方向）に変形してしまうことを抑制することができる。そのため、上下方向に撓むことが可能なシート状のケーブル１Ａに実装部１３２，１４２を実装した場合であっても、ケーブル１Ａの上下方向のあおりによって実装部１３２，１４２が変形してしまうことを抑制することができるようになる。
【０２１９】
また、本実施形態では、端子１３，１４は、プラグハウジング１０に挿入保持される本体部（第１本体部１３０および第２本体部１４０）を有している。そして、上述した交差方向を、本体部１３０，１４０のプラグハウジング１０への挿入方向と一致させている。
【０２２０】
このように、突部１１２ｄがプラグ端子１３，１４の第１，第２実装片１３２，１４２と重なり合わない方向である交差方向を、本体部１３０，１４０のプラグハウジング１０への挿入方向と一致させるようにすれば、交差方向から視たときに、それぞれの端子１３，１４の実装部１３２，１４２の幅方向の離間距離が最も大きくなるようにすることができる。すなわち、突部１１２ｄがプラグ端子１３，１４の第１，第２実装片１３２，１４２と重なり合わない方向を、個々の実装部の先端をより明確に視認することができる方向に一致させることができるようになる。
【０２２１】
また、本実施形態では、シート状のケーブル１Ａを、プラグハウジング１０に保持された端子１３，１４が実装される被接続部材としている。
【０２２２】
こうすれば、ケーブル１Ａのプラグハウジング（ハウジング）１０への連結自由度をより高めることができる。
【０２２３】
また、本実施形態では、ケーブル１Ａは、連結領域１１Ａと、連結領域１１Ａから延伸する延伸領域１２Ａとを備えている。そして、被連結部１０Ａが、連結領域１１Ａと、連結領域１１Ａに取り付けられて当該連結領域１１Ａを補強する補強板１４Ａと、を備えている。
【０２２４】
こうすれば、ケーブル１Ａのプラグハウジング（ハウジング）１０への連結をより強固に行うことができるようになる。
【０２２５】
また、本実施形態では、コネクタを、端子１３，１４をプラグハウジング１０に保持するとともに、実装部１３２，１４２をケーブル（被接続部材）１Ａに実装した状態で、レセプタクルコネクタ（相手側のコネクタ）２に嵌合することで、端子１３，１４がレセプタクルコネクタ２が備える端子（相手側の端子：下側レセプタクル端子２３および上側レセプタクル端子２４）と電気的に接続されるプラグコネクタ１としている。
【０２２６】
こうすれば、ケーブル（被接続部材）１Ａのプラグハウジング（ハウジング）１０への連結自由度をより高めることが可能なプラグコネクタ１を得ることができる。
【０２２７】
ところで、本実施形態のように、複数の端子１３，１４をプラグハウジング１０に保持した状態で、実装部１３２，１４２の先端をプラグハウジング１０よりも凹部１１２ｅ側に突出させるようにした場合、各実装部１３２，１４２のケーブル１Ａへの実装をより確実に行うためには、各実装部１３２，１４２のプラグハウジング１０の下端からの突出量を揃える必要がある。
【０２２８】
各実装部１３２，１４２のプラグハウジング１０の下端からの突出量は、一般的には、プラグハウジング１０に保持された端子１３，１４の実装部１３２，１４２に、ライト４１から照射される光を当てた状態で、カメラ４２により実装部１３２，１４２を撮影することによって確認される。
【０２２９】
ここで、図２９に示すように、前後方向の前方に、正面視で実装部１３２，１４２と重なり合うように突部１１２ｄが形成されていると、前後方向の前側から視た場合には、突部１１２ｄによって実装部１３２，１４２が背後に隠れてしまうため、各実装部１３２，１４２の突出量を確認する際には、後側から各実装部１３２，１４２に光を当てた状態で撮影する必要があった。
【０２３０】
また、各実装部１３２，１４２の板厚方向を幅方向に一致させた場合、各実装部１３２，１４２の下端を湾曲させることで、半田を用いて実装する際にフィレットを形成しやすくするのが好ましいため、本実施形態では、各実装部１３２，１４２の下端を湾曲させている。
【０２３１】
しかしながら、各実装部１３２，１４２の下端を湾曲させると、湾曲部分に当てられた光が乱反射して下端がぼやけてしまう。そのため、後側から各実装部１３２，１４２に光を当てた状態で撮影する場合には、各実装部１３２，１４２の上端のエッジ部分の位置を確認し、このエッジの位置と各実装部１３２，１４２の上下方向の厚さとから各実装部１３２，１４２の突出量（各実装部１３２，１４２の下端の位置）を推定する必要がある。
【０２３２】
ただし、本実施形態のように、各実装部１３２，１４２の板厚方向を幅方向に一致させると、端子１３，１４を形成した際に生じる上下方向の寸法交差が大きくなってしまうため、上記の推定方法では、各実装部１３２，１４２の正確な突出量を確認することができない。
【０２３３】
このように、各実装部１３２，１４２の板厚方向を幅方向に一致させるとともに、フィレットを形成しやすくするために各実装部１３２，１４２の下端を湾曲させると、後側から各実装部１３２，１４２に光を当てた状態で撮影した場合に、各実装部１３２，１４２の正確な突出量を確認することができなかった。すなわち、図２９に示すように、前後方向の前方に突部１１２ｄが形成されていると、本実施形態で示す端子１３，１４を用いた場合に、各実装部１３２，１４２の正確な突出量を確認することができなかった。
【０２３４】
これに対して、本実施形態のように、複数の端子１３，１４を保持したプラグハウジング１０を前後方向に沿って視た状態で、突部１１２ｄが複数の実装部１３２，１４２と重なり合わないようにすれば、前側から各実装部１３２，１４２に光を当てた状態で撮影することができるようになる（図３０参照）。そして、前側から各実装部１３２，１４２に光を当てた状態で撮影すれば、後側から光を当てた場合よりも鮮明に各実装部１３２，１４２の先端を映し出すことができる。
【０２３５】
このように、複数の端子１３，１４を保持したプラグハウジング１０を前後方向に沿って視た状態で、突部１１２ｄが複数の実装部１３２，１４２と重なり合わないようにすれば、本実施形態で示す端子１３，１４を用いた場合であっても、各実装部１３２，１４２のプラグハウジング１０の下端からの突出量をより正確に確認することができるようになる。
【０２３６】
なお、図２９に示すように、前後方向の前方に、正面視で実装部１３２，１４２と重なり合うように突部１１２ｄが形成されていたとしても、突部１１２ｄがプラグハウジング１０の周縁部のみに形成されていれば、被連結部１０Ａの形状自由度や凹部１１２ｅ内への配置自由度をより向上させることは可能である。
【０２３７】
［その他］
以上、本開示の好適な実施形態について説明したが、本開示は上記実施形態およびその変形例には限定されず、種々の変形が可能である。
【０２３８】
例えば、上記実施形態では、複数の端子が上下の２段に配置されたものを例示したが、複数の端子が１段のみに配置されたコネクタや３段以上に配置されたコネクタとすることも可能である。
【０２３９】
また、同一の段に配置される端子の形状を同一の形状としたコネクタを例示したが、同一の段に複数種類の端子が配置されたコネクタとすることも可能である。
【０２４０】
また、上記実施形態では、各端子として、各実装部の板厚方向を端子の並設方向に一致させたものを例示したが、各実装部の板厚方向を上下方向に一致させた端子とすることも可能である。
【０２４１】
また、上記実施形態では、交差方向を前後方向（端子の本体部の挿入方向）に一致させたものを例示したが、交差方向は、複数の端子の実装部を互いに離間した状態で視認することができる方向であればよく、前後方向と交差している方向であってもよい。
【０２４２】
また、上記実施形態では、交差方向に沿って視た場合に、端子が存在する部分の全体にわたって突部が形成されないようにしたものを例示したが、この構成に限られるものではない。例えば、交差方向に沿って視た場合に、端子と重なり合うように突部を形成しつつ、この突部に貫通孔を形成し、交差方向に沿って視たときに実装部の先端（ハウジングから突出する部分）が貫通孔内に位置するような構成としてもよい。
【０２４３】
また、上記実施形態では、スライド部材を有するコネクタを例示したが、スライド部材が備えられていないコネクタとすることも可能である。
【０２４４】
また、基板同士やケーブル同士を電気的に接続するコネクタ（プラグコネクタやレセプタクルコネクタ）に本開示を適用してもよい。さらに、電線と基板とを電気的に接続するコネクタ（プラグコネクタやレセプタクルコネクタ）や電線とケーブルとを電気的に接続するコネクタ（プラグコネクタやレセプタクルコネクタ）に本開示を適用してもよい。
【０２４５】
また、ハウジングや端子、その他細部のスペック（形状、大きさ、レイアウト等）も適宜に変更可能である。
【符号の説明】
【０２４６】
１  プラグコネクタ（コネクタ）
１０  プラグハウジング（ハウジング）
１１２ｄ  突部
１１２ｅ  凹部
１３  下側プラグ端子（端子）
１３０  本体部
１３２  実装片（実装部）
１４  上側プラグ端子（端子）
１４０  本体部
１４２  実装片（実装部）
２  レセプタクルコネクタ（相手側のコネクタ）
２３  下側レセプタクル端子（相手側の端子）
２４  上側レセプタクル端子（相手側の端子）
１Ａ  ケーブル（被接続部材）
１０Ａ  被連結部
１１Ａ  連結領域
１２Ａ  延伸領域
１４Ａ  補強板
Ｘ  前後方向（交差方向）
Ｙ  幅方向（一方向）
【図１】
2020087709.tif 000003
【図２】
2020087709.tif 000004
【図３】
2020087709.tif 000005
【図４】
2020087709.tif 000006
【図５】
2020087709.tif 000007
【図６】
2020087709.tif 000008
【図７】
2020087709.tif 000009
【図８】
2020087709.tif 000010
【図９】
2020087709.tif 000011
【図１０】
2020087709.tif 000012
【図１１】
2020087709.tif 000013
【図１２】
2020087709.tif 000014
【図１３】
2020087709.tif 000015
【図１４】
2020087709.tif 000016
【図１５】
2020087709.tif 000017
【図１６】
2020087709.tif 000018
【図１７】
2020087709.tif 000019
【図１８】
2020087709.tif 000020
【図１９】
2020087709.tif 000021
【図２０】
2020087709.tif 000022
【図２１】
2020087709.tif 000023
【図２２】
2020087709.tif 000024
【図２３】
2020087709.tif 000025
【図２４】
2020087709.tif 000026
【図２５】
2020087709.tif 000027
【図２６】
2020087709.tif 000028
【図２７】
2020087709.tif 000029
【図２８】
2020087709.tif 000030
【図２９】
2020087709.tif 000031
【図３０】
2020087709.tif 000032